(57)【要約】【課題】簡単な構造によって、間仕切パネルへの幅木の取付け及び取外し作業を容易にし得る間仕切パネル装置における幅木の取付構造を提供する。【解決手段】床面５に固定した左右方向に延びる地レール７の上方に、左右１対の側フレーム１４と上下１対の横フレーム１３、１５とで枠組みした矩形枠からなるパネル枠体１１を立設してなる間仕切パネル装置Ｐにおける幅木３６の取付構造であって、前記下部横フレーム１５の、前後両外側端面に、内側に向かって上向きに延出する係止溝２５を、同じく下面に、前記係止溝２５の下方に位置する係合段部４３をそれぞれ形成するとともに、前記幅木３６の上部に、前記係止溝２５に係合可能な係合爪３８と、前記係合段部４３に弾性撓曲により係合する突条係合部３８ａとを形成し、かつ下部に、前記地レール７に当接する当接部４０を設ける。【選択図】        図３
2005054372.tif 000002
【特許請求の範囲】
【請求項１】
床面に固定した左右方向に延びる地レールの上方に、左右１対の側フレームと上下１対の横フレームとで枠組みした矩形枠からなるパネル枠体を立設してなる間仕切パネル装置における幅木の取付構造であって、
前記下部横フレームの、前後両外側端面に、内側に向かって上向きに延出する係止溝を、同じく下面に、前記係止溝の下方に位置する係合段部をそれぞれ形成するとともに、
前記幅木の上部に、前記係止溝に係合可能な係合爪と、前記係合段部に弾性撓曲により係合する突条係合部とを形成し、かつ下部に、
前記地レールに当接する当接部を設けたことを特徴とする間仕切パネル装置における幅木の取付構造。
【請求項２】
前記幅木の下部に、内側に向かって突出する当接部を形成し、この当接部を前記地レールの側面に外側から当接させたことを特徴とする請求項１記載の間仕切パネル装置における幅木の取付構造。
【請求項３】
前記当接部を、弾性体で形成したことを特徴とする請求項２記載の間仕切パネル装置における幅木の取付構造。
【請求項４】
前記矩形枠の前後両面に、パネル基材を外枠材の前後方向の外側端部に保持させて形成したパネル材を、それぞれ着脱自在に取り付けたことを特徴とする請求項１〜３のいずれかに記載の間仕切パネル装置における幅木の取付構造。
【発明の詳細な説明】
【０００１】
【発明の属する技術分野】
本発明は、間仕切パネル装置における幅木の取付構造に関する。
【０００２】
【従来の技術】
間仕切パネル装置における幅木の取付構造は、例えば、本願出願人が先に出願し、登録された特許文献１に示されている。
【０００３】
前記特許文献１においては、室内の床面上に敷設した地レールの上方に、アジャスタ機構により支持された、間仕切パネルを立設するとともに、この間仕切パネルの下部に、幅木を止めネジを用いることなく、簡単かつ迅速に取り付けるようにして、間仕切パネルと地レールとの間に形成される隙間を隠蔽することにより、建付け後の美観性の向上を図るようにしている。
【０００４】
【特許文献１】
特許登録第８６８９３３号（特公昭５１−４５８８７号公報  図１、図４、図５参照）
【０００５】
【発明が解決しようとする課題】
前記特許文献１における幅木の取付構造は、構成部品の点数が多いため、構造が複雑になり、コスト面でも必ずしも有利ではない。しかも、パネル材の取外し交換時には、幅木も取外す必要がある。
【０００６】
本発明は、簡単な構造によって、コストの低減化を図るとともに、間仕切パネルへの幅木の取付け及び取外し作業を容易にし、かつ幅木を取外すことなく、パネル材の取外し交換作業を行い得る幅木の取付構造を提供することを目的とする。
【０００７】
【課題を解決するための手段】
本発明によると、前記課題は、次のようにして解決される。
（１）床面に固定した左右方向に延びる地レールの上方に、左右１対の側フレームと上下１対の横フレームとで枠組みした矩形枠からなるパネル枠体を立設してなる間仕切パネル装置における幅木の取付構造であって、前記下部横フレームの、前後両外側端面に、内側に向かって上向きに延出する係止溝を、同じく下面に、前記係止溝の下方に位置する係合段部をそれぞれ形成するとともに、前記幅木の上部に、前記係止溝に係合可能な係合爪と、前記係合段部に弾性撓曲により係合する突条係合部とを形成し、かつ下部に、前記地レールに当接する当接部を設ける。
【０００８】
（２）上記（１）項において、前記幅木の下部に、内側に向かって突出する当接部を形成し、この当接部を前記地レールの側面に外側から当接させる。
【０００９】
（３）上記（２）項において、前記当接部を、弾性体で形成する。
【００１０】
（４）上記（１）〜（３）項のいずれかにおいて、前記矩形枠の前後両面に、パネル基材を外枠材の前後方向の外側端部に保持させて形成したパネル材を、それぞれ着脱自在に取り付ける。
【００１１】
【発明の実施の形態】
図１〜図６は、本発明に係る間仕切パネル装置の一実施形態を示す。なお、図３において、紙面の右側を「前方」、左側を「後方」として、以下に説明する。
【００１２】
間仕切パネル装置（Ｐ）は、図１及び図３に示すように、オフィス等の部屋（１）の天井部（２）にビス（３）を介して配設した、断面逆Ｕ字型チャンネル部材からなる天レール（４）と、床面（５）にビス（６）を介して敷設した、断面Ｕ字型チャンネル部材からなる地レール（７）との間に立設された、支柱（８）によって建て付けられている。
【００１３】
前記間仕切パネル装置（Ｐ）は、図１に示すように、左右の支柱（８）（８）間に、間仕切パネル（１０）を建て付けることによって構成されている。この間仕切パネル（１０）は、図２に示すように、パネル枠体（１１）を備えている。
【００１４】
パネル枠体（１１）は、上下方向の中間部位に中間横フレーム（１１Ａ）を横架することにより、上下に並設された１対の矩形枠（１２）（１２）で形成されており、これら各矩形枠（１２）は、上部横フレーム（１３）、左右１対の側フレーム（１４）（１４）及び下部横フレーム（１５）により、前記中間横フレーム（１１Ａ）と共に枠組みして形成されている。
【００１５】
前記パネル枠体（１１）における上部横フレーム（１３）は、図３に示すように、前記天レール（４）の前後両垂下片部（４ａ）（４ｂ）を前記上部横フレーム（１３）の上面部（１３ａ）における左右方向の溝部（１３ｂ）に嵌合させて組み付けられており、下部横フレーム（１５）は、レベル調整用のアジャスタ機構（１６）を介して、前記地レール（７）上に支持されている。
【００１６】
前記アジャスタ機構（１６）は、前記下部横フレーム（１５）の下面部（１５ａ）組み付けたネジ座（１７）に、前記地レール（７）上のベース金具（１８）に回転自在に支持されたアジャスタボルト（１９）を螺合して構成されており、アジャスタボルト（１９）を時計回り、または、反時計回りに回動することにより、前記パネル枠体（１１）の高さ調整が行われるようになっている。
【００１７】
前記矩形枠（１２）の前後両面（１２ａ）（１２ｂ）には、パネル材（２０）が背中合わせの状態で、着脱自在にそれぞれ嵌め込まれて取り付けられている。パネル材（２０）は、例えばアルミニウムあるいは合成樹脂により製作された額縁状の外枠材（２１）を備えている。この外枠材（２１）は、断面長方形状に形成された中空な基部（２２）と、この基部（２２）に外側に向けて一体に連設して形成された断面コ字形状の保持部（２３）とを備えており、この保持部（２３）は、前記外枠材（２１）の外側端部を形成している。
【００１８】
前記基部（２２）の外周面には、外側向きに突出する止着片（２４）が形成されており、この止着片（２４）と前記保持部（２３）の内面との間には、係止溝（２５）が形成されるようになっている。
【００１９】
前記外枠材（２１）の保持部（２３）には、パネル基材、例えばクロスパネルのようなパネル基材（２６）が嵌め込まれて保持されており、このパネル基材（２６）のバックアッププレート（２６ａ）の取付端部（２６ｂ）を、前記基部（２２）の内面にビス（２７）により固定することにより、前記外枠材（２１）と一体化されて、前記パネル材（２０）を形成している。
【００２０】
前記矩形枠（１２）の前後両面（１２ａ）（１２ｂ）に取り付けられる、前記各パネル材（２０）は、外枠材（２１）における基部（２２）の外周面に形成された係止溝（２５）に、前記上部横フレーム（１３）及び下部横フレーム（１５）における内面の前後に、内側に向けて突出させて形成した係止片（２８）（２８）、（２９）（２９）がそれぞれ差込み係止されている。
【００２１】
互いに隣り合う前記パネル枠体（１１）（１１）同士は、図４に示すように、前記矩形枠（１２）の左右両側端部を形成する側フレーム（１４）（１４）を、タッピングネジ（９）により支柱（８）にそれぞれ締着することにより、両者の連結がなされている。
【００２２】
前記側フレーム（１４）の内面には、図５に示すように、凹部（３０）と、この凹部（３０）の内側近傍に形成され、左右方向の内側に向けて突出する連設片（３１）と、この連設片（３１）に貫設した横孔（３２）とが、前後にそれぞれ形成されている。前記凹部（３０）には、前記パネル材（２０）における外枠材（２１）の基部（２２）に形成した止着片（２４）に、前記止めネジ（３３）により止着された板バネ等の弾性舌片（３４）の円弧状頭部（３４ａ）が弾性的に嵌合して係着されている。この係着によって、パネル材（２０）の左右両側端部を、矩形枠（１２）に取外し自在に保持することができるようになっている。
【００２３】
前記連設片（３１）に貫設された横孔（３２）には、弾性舌片（３４）と共に、前記止着片（２４）に止めネジ（３３）により止着した、平面視Ｌ字形状の差込片（３５）が挿入されている。この挿入によって、前記パネル材（２０）の左右方向のガタツキが防止され、パネル材（２０）を矩形枠（１２）に安定して位置決めすることができる。
【００２４】
図３に示すように、前記下段の矩形枠（１２）における下部横フレーム（１５）の前後の外側端面（１５ｂ）（１５ｂ）には、幅木（３６）がそれぞれ左右方向に沿って取り付けられている。幅木（３６）は、下部横フレーム（１５）の下面（１５ａ）と地レール（７）における前後の立上片部（７ａ）（７ｂ）の上端との間に形成される隙間（図３及び図６において、符号ａで示す）を外側から隠蔽することにより、美観の向上を図る作用をなしている。
【００２５】
前記幅木（３６）は、図６に示すように、例えば合成樹脂等の基板（３７）からなり、基板（３７）の上部（３７ａ）には、内側に向かって前後水平方向に延出する、係合爪（３８）と弾性舌片状の係合片（３９）とが上下に形成されている。前記係合爪（３８）の先端部（３８ａ）は、上向きに円弧状をなすように形成されてなるとともに、前記係合片（３９）は、その先端に上向きの突条係合部（３９ａ）が形成されている。
【００２６】
前記基板（３７）の下部（３７ｂ）には、内側に向かって突出する断面アングル状の当接部（４０）が左右方向に沿って形成されており、この当接部（４０）の先端に蟻溝状の取付部（４０ａ）が設けられ、この取付部（４０ａ）にシールパッキン等の弾性体（４１）を取り付けて、前記地レール（７）の前後両側面を形成する立上片部（７ａ）（７ｂ）に外側から当接して密着させてある。
【００２７】
一方、前記下段の矩形枠（１２）における下部横フレーム（１５）の前後の外側端面（１５ｂ）（１５ｂ）には、内側に向かって上向きに延出する、円弧状の係止溝（４２）がそれぞれ形成されており、この係止溝（４２）には、前記幅木（３６）における係合爪（３８）の先端部（３８ａ）が差し込まれて係合されている。
【００２８】
前記下部横フレーム（１５）における下面（１５ａ）には、前記係止溝（４２）の下方に位置するように、係合段部（４３）が形成されており、この係合段部（４３）には、前記幅木（３６）における係合片（３９）における突条係合部（３９ａ）が、前記係合片（３９）の弾性撓曲により嵌合されている。
【００２９】
すなわち、前記幅木（３６）を下部横フレーム（１５）に取り付ける場合には、前記基板（３７）の上部（３７ａ）における係合爪（３８）の先端部（３８ａ）を、下部横フレーム（１５）の係止溝（４２）の間口（４２ａ）に挿入するとともに、その宛がい部を支点として、図６に矢印で示すように、基板（３７）を内側に向けて回動させながら、前記係合爪（３８）を係止溝（４２）に押し込み、前記係合爪（３８）と係合片（３９）とで、前記下部横フレーム（１５）における下半の外側端部（１５ｃ）を弾性的に挟着し、かつ幅木（３６）の下端部内側の弾性体（４１）を、地レール（７）の立上片部の（７ａ）（７ｂ）に当接させることにより、幅木（３６）を下部横フレーム（１５）に容易に取り付けることができる。
【００３０】
なお、前記下部横フレーム（１５）から幅木（３６）を取外すには、幅木（３６）を、図６において、２点破線で示す取付状態から、矢印と逆回りの方向に回動させることにより、容易に取外すことができる。
【００３１】
【発明の効果】
本発明によると、次のような効果が奏せられる。
（１）請求項１記載の発明によれば、簡単な構造によって、構成部品も削減化し、コストの低減化を図ることができるとともに、パネル枠体への幅木の取付け及び取外しを容易に行なうことができ、かつ幅木を取外すことなく、パネル材の取外し交換作業を行うことができる。
【００３２】
（２）請求項２記載の発明によれば、間仕切パネルと地レールとの間の間隙を確実に隠蔽することができる。
【００３３】
（３）請求項３記載の発明によれば、防音性能が向上するとともに、シール性の向上を図ることができ、埃や塵等の侵入を確実に防止することができる。
【００３４】
（４）請求項４記載の発明によれば、パネル材の取外し交換を、従前のように、幅木を取外すことなく、パネル枠体を形成する矩形枠からの脱着によって簡単に行なうことができる。
【図面の簡単な説明】
【図１】本発明の一実施形態における間仕切パネルによる室内の間仕切状態を概略的に示す斜視図である。
【図２】図１に示す間仕切パネルの要部を分解して示す斜視図である。
【図３】図１におけるＩＩＩ−ＩＩＩ線矢視方向から見た拡大縦断面図である。
【図４】図１におけるＩＶ−ＩＶ線矢視方向から見た間仕切パネル同士の連結状態を示す拡大横断面図である。
【図５】図４における矩形枠への間仕切パネルの取付状態を要部拡大して示す横断面図である。
【図６】図３における間仕切パネルへの幅木の取付け及び取外し状態を分解して示す要部拡大縦断面図である。
【符号の説明】
（Ｐ）間仕切パネル装置
（１）室内
（２）天井部
（３）ビス
（４）天レール
（４ａ）（４ｂ）垂下片部
（５）床面
（６）ビス
（７）地レール
（７ａ）（７ｂ）立上片部
（８）支柱（スタッド）
（９）タッピングネジ
（１０）間仕切パネル
（１１）パネル枠体
（１１Ａ）中間横フレーム
（１２）矩形枠
（１２ａ）前面
（１２ｂ）後面
（１３）上部横フレーム
（１３ａ）上面部
（１３ｂ）溝部
（１４）側フレーム
（１５）下部横フレーム
（１５ａ）下面
（１５ｂ）外側端面
（１５ｃ）外側端部
（１６）アジャスタ機構
（１７）ネジ座
（１８）ベース金具
（１９）アジャスタボルト
（２０）パネル材
（２１）外枠材
（２２）基部
（２３）保持部
（２４）止着片
（２５）係止溝
（２６）パネル基材
（２６ａ）バックプレート
（２６ｂ）取付端部
（２７）ビス
（２８）（２９）係止片
（３０）凹部
（３１）連設片
（３２）横孔
（３３）止めネジ
（３４）弾性舌片
（３４ａ）頭部
（３５）差込片
（３６）幅木
（３６ａ）上端部
（３７）基板
（３７ａ）上部
（３７ｂ）下部
（３８）係合爪
（３８ａ）突条係合部
（３９）係合片
（３９ａ）先端部
（４０）当接部
（４０ａ）取付部
（４１）弾性体
（４２）係止溝
（４２ａ）間口
（４３）係合段部
【図１】
2005054372.tif 000003
【図２】
2005054372.tif 000004
【図３】
2005054372.tif 000005
【図４】
2005054372.tif 000006
【図５】
2005054372.tif 000007
【図６】
2005054372.tif 000008